(57)【要約】【課題】農作物を容易に貫通させることができ、かつ、十分な量の空気を取り込むことができる作物貫通孔を簡単に構成できる農作物育成シートを提供する。【解決手段】農作物育成シート１０は、シート体２４を備える。シート体２４における農作物１２と対向する部分には、１本の切り込み線３０によって、作物貫通孔３２と、蓋部３４とが構成されている。切り込み線３０の両端３０ａ，３０ｂを通過する仮想直線Ｑを想定したとき、切り込み線３０は、仮想直線Ｑを挟んだ両側のうち一方側に配置された第１切り込み部３６と、仮想直線Ｑを挟んだ両側のうち他方側に配置された第２切り込み部３８とを有しており、作物貫通孔３２は、第１貫通孔部４０と、第２貫通孔部４２とを有しており、蓋部３４は、第１舌片部４４と、第２舌片部４６とを有している。【選択図】図４
2016131550.tif 000002
【特許請求の範囲】
【請求項１】
土壌に植え付けられた農作物を覆うシート体を備える農作物育成シートにおいて、
前記シート体における前記農作物と対向する対向部には、１本の切り込み線によって、前記農作物が貫通可能な作物貫通孔と、前記作物貫通孔を開閉可能に覆う蓋部とが構成されており、
前記切り込み線の両端を通過する仮想直線を想定したとき、
前記切り込み線は、前記仮想直線を挟んだ両側のうち一方側に配置された第１切り込み部と、前記仮想直線を挟んだ両側のうち他方側に配置された第２切り込み部とを有しており、
前記作物貫通孔は、前記第１切り込み部によって構成された第１貫通孔部と、前記第２切り込み部によって構成された第２貫通孔部とを有しており、
前記蓋部は、前記第１貫通孔部を覆う第１舌片部と、前記第２貫通孔部を覆う第２舌片部とを有していることを特徴とする、農作物育成シート。
【請求項２】
前記第１切り込み部および前記第２切り込み部は、円弧状に形成されている、請求項１に記載の農作物育成シート。
【請求項３】
前記シート体は帯状に形成されており、
複数の前記切り込み線が前記シート体の長さ方向に並んで配置されており、
複数の前記切り込み線のそれぞれの前記第１切り込み部および前記第２切り込み部は、前記シート体の長さ方向に並んで配置されている、請求項１または２に記載の農作物育成シート。
【請求項４】
前記シート体の長さ方向において互いに隣接する２つの前記切り込み線は、これらの一部どうしが前記シート体の幅方向に並ぶように配置されている、請求項３に記載の農作物育成シート。
【請求項５】
前記第１切り込み部と前記第２切り込み部との間には、前記農作物の生長力で切断可能な連結部が前記シート体の一部で構成されている、請求項１ないし４のいずれか１項に記載の農作物育成シート。
【請求項６】
前記シート体は、前記土壌の表面を覆うマルチシートの上面に配置されるように構成されており、
前記シート体の下面の幅方向両端部には、前記マルチシートの上面に前記シート体を接合するための接合材が設けられている、請求項１ないし５のいずれか１項に記載の農作物育成シート。
【発明の詳細な説明】
【技術分野】
【０００１】
本発明は、土壌に植え付けられた農作物を保護するための農作物育成シートに関する。
【背景技術】
【０００２】
特許文献１には、従来の農作物育成シートの一例が記載されている。この農作物育成シートは、マルチシートの上面に配置されるように構成されている。マルチシートは、土壌の保温性を高めたり、雑草の発生を抑えたりするために、土壌の表面を覆うものであり、マルチシートには、農作物を土壌に植え付けるための植え付け孔が形成されている。上記農作物育成シートは、植え付け孔から土壌に植え付けられた農作物を保護するために、植え付け孔および農作物を覆うものである。農作物育成シートにおける農作物に対向する対向部には、直線状、円弧線状および十字線状などの易通過部（線状切れ目および点線状切れ目など）が形成されている。農作物が生長すると、当該農作物は易通過部を通過して農作物育成シートの上方に露出する。
【先行技術文献】
【特許文献】
【０００３】
【特許文献１】特開２００５−１７６７８９号（特許第３８４２２６６号）
【０００４】
しかしながら、特許文献１に記載された農作物育成シートでは、次のような問題があった。すなわち、易通過部が直線状である場合には、易通過部の中心部が農作物からずれて配置されたときに、農作物を易通過部に通過させることが困難であるという問題があった。易通過部が円弧線状である場合には、易通過部の開く方向が一方向に限られるため、易通過部を通して土壌へ供給される空気の量が風向きに左右されるという問題があった。易通過部が十字線状である場合には、互いに交差する２本の切り込み線を形成しなければならないという問題があった。
【０００５】
本発明は上記問題に対処するためになされたものであり、農作物を容易に貫通させることができ、かつ、風向きにかかわらず十分な量の空気を取り込むことができる作物貫通孔を１本の切り込み線によって簡単に構成できる農作物育成シートを提供することを目的とする。
【発明の概要】
【０００６】
上記目的を達成するため、本発明の特徴は、土壌に植え付けられた農作物を覆うシート体を備える農作物育成シートにおいて、前記シート体における前記農作物と対向する部分には、１本の切り込み線によって、前記農作物が貫通可能な作物貫通孔と、前記作物貫通孔を開閉可能に覆う蓋部とが構成されており、前記切り込み線の両端を通過する仮想直線を想定したとき、前記切り込み線は、前記仮想直線を挟んだ両側のうち一方側に配置された第１切り込み部と、前記仮想直線を挟んだ両側のうち他方側に配置された第２切り込み部とを有しており、前記作物貫通孔は、前記第１切り込み部によって構成された第１貫通孔部と、前記第２切り込み部によって構成された第２貫通孔部とを有しており、前記蓋部は、前記第１貫通孔部を覆う第１舌片部と、前記第２貫通孔部を覆う第２舌片部とを有していることにある。
【０００７】
この構成では、切り込み線が第１切り込み部および第２切り込み部を有しているので、作物貫通孔の開口面積を広く確保できる。したがって、作物貫通孔の中心部が農作物からずれて配置された場合でも、農作物を作物貫通孔に容易に貫通させることができる。また、作物貫通孔を１本の切り込み線によって簡単に構成できる。
【０００８】
この構成において、切り込み線に向けて第１切り込み部側から風が吹くと、第１舌片部がめくれ上がって第１貫通孔部から土壌に空気が供給される。一方、切り込み線に向けて第２切り込み部側から風が吹くと、第２舌片部がめくれ上がって第２貫通孔部から土壌に空気が供給される。第１切り込み部および第２切り込み部は、仮想直線を挟んで互いに反対側に形成されているので、風が吹いたときには、その風向きにかかわらず、第１貫通孔部および第２貫通孔部の少なくとも一方から十分な量の空気を土壌に供給することができる。
【０００９】
本発明の他の特徴は、前記第１切り込み部および前記第２切り込み部は、円弧状に形成されていることにある。
【００１０】
この構成では、第１切り込み部および第２切り込み部が円弧状に形成されているので、これらに吹き込む風によって、第１舌片部および第２舌片部を容易にめくれ上がらせることができ、第１貫通孔部および第２貫通孔部の少なくとも一方から十分な量の空気を土壌に供給することができる。
【００１１】
本発明の他の特徴は、前記シート体は帯状に形成されており、複数の前記切り込み線が前記シート体の長さ方向に並んで配置されており、複数の前記切り込み線のそれぞれの前記第１切り込み部および前記第２切り込み部は、前記シート体の長さ方向に並んで配置されていることにある。
【００１２】
この構成では、第１切り込み部および第２切り込み部がシート体の長さ方向に並んで配置されているので、複数の農作物の間隔が不均一な場合でも、作物貫通孔を農作物に対向させ易く、農作物を作物貫通孔に容易に貫通させることができる。
【００１３】
本発明の他の特徴は、前記シート体の長さ方向において互いに隣接する２つの前記切り込み線は、これらの一部どうしが前記シート体の幅方向に並ぶように配置されていることにある。
【００１４】
この構成では、互いに隣接する２つの切り込み線の一部どうしがシート体の幅方向に並ぶので、シート体の長さ方向のほぼ全域に作物貫通孔を配置することができる。したがって、複数の農作物の間隔が不均一な場合でも、作物貫通孔を農作物に対向させることができ、農作物を作物貫通孔に確実に貫通させることができる。
【００１５】
本発明の他の特徴は、前記第１切り込み部と前記第２切り込み部との間には、前記農作物の生長力で切断可能な連結部が前記シート体の一部で構成されていることにある。
【００１６】
この構成では、第１切り込み部と第２切り込み部との間に連結部が構成されているので、作物貫通孔が広く開かれることを抑制でき、土壌の保温性の低下を抑制できる。連結部は、農作物の生長力で切断されるので、農作物の生育が連結部で妨げられることはない。
【００１７】
本発明の他の特徴は、前記シート体は、前記土壌の表面を覆うマルチシートの上面に配置されるように構成されており、前記シート体の下面の幅方向両端部には、前記マルチシートの上面に前記シート体を接合するための接合材が設けられていることにある。
【００１８】
この構成では、シート体をマルチシートの上面に簡単に接合することができる。
【図面の簡単な説明】
【００１９】
【図１】本発明の一実施形態に係る農作物育成シートの使用状態を示す斜視図である。
【図２】図１に示す農作物育成シートの構成を示す斜視図である。
【図３】図１に示す農作物育成シートの構成を示す平面図である。
【図４】図１に示す農作物育成シートの要部の構成を示す平面図である。
【図５】図１に示す農作物育成シートの設置作業を示す斜視図である。
【図６】他の実施形態に係る農作物育成シートの要部の構成を示す平面図である。
【図７】他の実施形態に係る農作物育成シートの要部の構成を示す平面図である。
【発明を実施するための形態】
【００２０】
以下、本発明に係る農作物育成シートの一実施形態について図面を参照しながら説明する。なお、以下の説明で用いる「前、後、左、右、上、下」の各方向は、図１および図２において矢印で示す方向を基準とする。
【００２１】
図１は、本発明の一実施形態に係る農作物育成シート１０の使用状態を示す斜視図である。図１に示すように、さつまいも（塊根類）やじゃがいも（塊茎類）などの農作物１２を栽培する畑１４には、畝１６が構成されており、畝１６の表面には、マルチシート１８が配置されている。農作物育成シート１０は、畝１６および農作物１２を保護するために、マルチシート１８の上面に配置されるものである。なお、図１では、生長した農作物１２が農作物育成シート１０の上方に露出した状態を示しているが、農作物育成シート１０を設置する際には、農作物１２は生育初期段階にあり、農作物１２の全体が農作物育成シート１０で覆われる（図５参照）。
【００２２】
畝１６およびマルチシート１８について簡単に説明する。畝１６は、畑１４の水はけ性、加温性および保温性などを確保するために、畑１４の土壌２０を直線状に盛り上げることによって構成されたものである。本実施形態では、畝１６の横断面が台形になるように、畝１６の上面が平坦に形成されている。マルチシート１８は、土壌２０の保温性を高めたり、雑草の発生を抑えたり、畝１６の損壊を防止したりするために畝１６の表面を覆う帯状の薄膜体である。本実施形態のマルチシート１８は、黒色で柔軟な合成樹脂（例えば、ポリエチレン）で形成されている。マルチシート１８の幅方向中央部には、農作物１２を土壌２０に植え付けるための複数の植え付け孔２２が、マルチシート１８の長さ方向（前後方向）に間隔を隔てて形成されている。なお、複数の植え付け孔２２は、マルチシート１８が畝１６の上面に配置された後に形成されてもよいし、工場等で予め形成されてもよい。また、畝１６の幅が広い場合には、植え付け孔２２は複数列に形成されてもよい。
【００２３】
（農作物育成シート１０の構成）
図２は、農作物育成シート１０の構成を示す斜視図である。図２に示すように、農作物育成シート１０は、シート体２４と、シート体２４の下面の幅方向両端部に設けられた左右一対の接合材２６，２６とを有している。
【００２４】
シート体２４は、図１に示す植え付け孔２２に露出した農作物１２および土壌２０を覆う柔軟な帯状の薄膜体であり、農作物１２を育生可能な程度の通気性、通水性、光透過性、耐候性および耐久性を有している。シート体２４の材料としては、例えば、紙材、不織布、織布、編布および樹脂材などを単体で、または、これらのうち２つ以上を適宜組み合わせて使用することができる。本実施形態では、シート体２４の材料として、紙材が単体で使用されている。なお、シート体２４の上記各機能は、農作物１２がある程度の大きさに生長するまでの生育初期に必要な機能であり、生育初期を経過した後には、これらの機能は損なわれてもよい。
【００２５】
図１に示すように、シート体２４は、長さ方向の全長にわたって一定の幅を有している。シート体２４の長さは、畝１６とほぼ同じ長さか、それよりも長くなるように定められており、シート体２４の幅は、マルチシート１８に設けられた植え付け孔２２の幅（左右方向長さ）よりも十分に広く、かつ、畝１６の上面の幅よりも狭くなるように定められている。図２に示すように、シート体２４における農作物１２（図１）と対向する対向部２８には、１本の切り込み線３０によって、農作物１２（図１）が貫通可能な作物貫通孔３２と、作物貫通孔３２を開閉可能に覆う蓋部３４とが構成されている。本実施形態では、シート体２４の幅方向中央部における各植え付け孔２２（図１）と対向する部分が対向部２８となっている。
【００２６】
図３は、農作物育成シート１０の構成を示す平面図である。図３中の一点鎖線は、シート体２４の幅方向中央部を長さ方向に延びるシート体２４の中心線Ｌを示している。図３に示すように、各対向部２８に設けられた切り込み線３０のそれぞれは、中心線Ｌに沿って、シート体２４の長さ方向に並んで配置されている。
【００２７】
図３に示すように、本実施形態では、シート体２４の幅Ｗが２００ｍｍに定められており、シート体２４の長さ方向における切り込み線３０の長さＤ１が２０ｍｍに定められており、シート体２４の長さ方向における切り込み線３０どうしの間隔Ｄ２が３０ｍｍに定められている。なお、これらのサイズは、図１に示す畝１６の幅、植え付け孔２２の大きさ、植え付け孔２２どうしの間隔および農作物１２の種類などに応じて適宜変更されてもよい。
【００２８】
図４は、農作物育成シート１０の要部の構成を示す平面図である。図４を参照しながら、切り込み線３０、作物貫通孔３２および蓋部３４の各構成について詳細に説明する。切り込み線３０は、シート体２４に作物貫通孔３２および蓋部３４を同時に構成するためのものであり、本実施形態ではＳ字状に形成されている。切り込み線３０の一方端（後端）３０ａおよび他方端（前端）３０ｂは、中心線Ｌを挟んで互いに反対側に配置されている。切り込み線３０の両端３０ａ，３０ｂを通過する仮想直線Ｑを想定したとき、仮想直線Ｑは、中心線Ｌに対して所定角度βで交差している。
【００２９】
切り込み線３０は、仮想直線Ｑを挟んだ両側のうち一方側（本実施形態では左側）に配置された第１切り込み部３６と、仮想直線Ｑを挟んだ両側のうち他方側（本実施形態では右側）に配置された第２切り込み部３８とを有している。第１切り込み部３６および第２切り込み部３８は、同一形状かつ同一サイズの円弧状に形成されており、これらは、中心線Ｌと仮想直線Ｑとの交点Ｐにおいて互いに連結されている。
【００３０】
交点Ｐを通って中心線Ｌに直交する仮想直線Ｒを想定したとき、第１切り込み部３６は、仮想直線Ｒよりも後方に配置されており、第２切り込み部３８は、仮想直線Ｒよりも前方に配置されている。つまり、第１切り込み部３６および第２切り込み部３８は、シート体２４の長さ方向（前後方向）に並んで配置されている。
【００３１】
図４に示すように、作物貫通孔３２は、第１切り込み部３６によって構成された第１貫通孔部４０と、第２切り込み部３８によって構成された第２貫通孔部４２とを有している。蓋部３４は、第１貫通孔部４０を開閉可能に覆う第１舌片部４４と、第２貫通孔部４２を開閉可能に覆う第２舌片部４６とを有している。第１貫通孔部４０と第１舌片部４４とは、シート体２４に第１切り込み部３６を形成することによって同時に構成されており、第２貫通孔部４２と第２舌片部４６とは、シート体２４に第２切り込み部３８を形成することによって同時に構成されている。したがって、第１貫通孔部４０の内周縁および第１舌片部４４の外周縁は、第１切り込み部３６と同じ形状（本実施形態では円弧状）に形成されており、第２貫通孔部４２の内周縁および第２舌片部４６の外周縁は、第２切り込み部３８と同じ形状（本実施形態では円弧状）に形成されている。
【００３２】
本実施形態では、仮想直線Ｑがシート体２４の中心線Ｌに対して所定角度βで交差しているため、第１舌片部４４および第２舌片部４６は、中心線Ｌを挟んだ左右両側に跨がって配置されている。したがって、後方および左方の少なくとも一方から切り込み線３０に向けて風が吹くと、当該風によって第１舌片部４４がめくれ上がり、第１貫通孔部４０の少なくとも一部が外部に開放されて、その開放された部分から土壌２０に空気が供給される。一方、前方および右方の少なくとも一方から切り込み線３０に向けて風が吹くと、当該風によって第２舌片部４６がめくれ上がり、第２貫通孔部４２の少なくとも一部が外部に開放されて、その開放された部分から土壌２０に空気が供給される。つまり、前後左右のいずれの方向から風が吹いた場合でも、十分な量の空気を土壌２０に供給できる。
【００３３】
図１に示すように、接合材２６，２６は、農作物育成シート１０をマルチシート１８の上面に接合するためのものであり、シート体２４の下面の幅方向両端部に長さ方向に延びて設けられている。本実施形態の接合材２６，２６は、シート体２４の下面の幅方向両端部に粘着剤を薄膜状に塗布することによって構成されている。シート体２４の上面の幅方向両端部には、剥離加工が施されている。なお、接合材２６，２６は、シート体２４の下面の幅方向両端部に両面テープ（図示省略）を貼り付けることによって構成されてもよい。また、接合材２６，２６は、シート体２４の全長にわたって連続的に設けられてもよいし、断続的に設けられてもよい。
【００３４】
図２に示すように、上記のように構成された農作物育成シート１０は、接合材２６，２６を内側にして円筒状の芯材５０に巻き付けられる。これにより、農作物育成シート１０のロール体５２が構成される。このとき、シート体２４の下面に設けられた接合材２６，２６が、シート体２４の上面の剥離加工が施された部分（図示省略）に付着して、接合材２６，２６が保護される。
【００３５】
（農作物育成シート１０の使用方法）
農作物育成シート１０の使用方法について説明する。図１に示す農作物育成シート１０は、畝１６の表面を覆うマルチシート１８の上面に配置されて、畝１６および農作物１２を保護するためのものである。そのため、農作物育成シート１０を使用する前段階の作業として、作業者は、マルチシート１８の植え付け孔２２から土壌２０に農作物１２を植え付ける。なお、土壌２０に植え付けられる農作物１２は、種および苗のいずれであってもよい。
【００３６】
図５は、農作物育成シート１０の設置作業を示す斜視図である。図５に示すように、農作物育成シート１０の設置作業では、作業者は、ロール体５２から農作物育成シート１０を引き出しながら、農作物育成シート１０をマルチシート１８の上面に接合材２６，２６を介して接合する。このとき、農作物育成シート１０の各作物貫通孔３２を、マルチシート１８の各植え付け孔２２に対向させる。
【００３７】
農作物育成シート１０をマルチシート１８の上面に接合した状態（図１）において、前後左右のいずれかの方向から風が吹くと、図４に示す第１舌片部４４および第２舌片部４６の少なくとも一方がめくれ上がって、第１貫通孔部４０および第２貫通孔部４２の少なくとも一方から土壌２０（図１）に空気が供給される。
【００３８】
図１に示すように、農作物育成シート１０を設置した後、農作物１２が生長すると、農作物１２は、作物貫通孔３２を貫通して農作物育成シート１０の上方に露出する。図４に示すように、第２切り込み部３８の右端３８ａと第１切り込み部３６の右端（すなわち切り込み線３０の後端）３０ａとを連結する仮想直線Ｔ１を想定したとき、第１舌片部４４は、仮想直線Ｔ１を折り線として最大に開かれる。一方、第１切り込み部３６の左端３６ａと第２切り込み部３８の左端（すなわち切り込み線３０の前端）３０ｂとを連結する仮想直線Ｔ２を想定したとき、第２舌片部４６は、仮想直線Ｔ２を折り線として最大に開かれる。したがって、左右方向においては、仮想直線Ｔ１と仮想直線Ｔ２との間に農作物１２が配置されている限り、農作部１２を作物貫通孔３２に容易に貫通させることができる。
【００３９】
（農作物育成シート１０の効果）
本実施形態によれば、上記構成により以下の各効果を奏することができる。すなわち、図４に示すように、切り込み線３０が第１切り込み部３６および第２切り込み部３８を有しているので、作物貫通孔３２の開口面積を広く確保できる。したがって、作物貫通孔３２の中心部が農作物１２からずれて配置された場合でも、農作物１２を作物貫通孔３２に容易に貫通させることができる。また、作物貫通孔３２を１本の切り込み線３０によって簡単に構成できる。
【００４０】
図４に示すように、第１切り込み部３６および第２切り込み部３８は、仮想直線Ｑを挟んで互いに反対側に形成されているので、風が吹いたときには、その風向きにかかわらず、第１貫通孔部４０および第２貫通孔部４２の少なくとも一方から十分な量の空気を土壌２０に供給することができる。
【００４１】
図４に示すように、第１切り込み部３６および第２切り込み部３８が円弧状に形成されているので、これらに吹き込む風によって、第１舌片部４４および第２舌片部４６を容易にめくれ上がらせることができ、第１貫通孔部４０および第２貫通孔部４２の少なくとも一方から十分な量の空気を土壌２０に供給することができる。
【００４２】
図３に示すように、第１切り込み部３６および第２切り込み部３８がシート体２４の長さ方向に並んで配置されているので、畝１６の長さ方向に沿って植え付けられた複数の農作物１２の間隔が不均一な場合でも、作物貫通孔３２を農作物１２に対向させ易く、農作物１２を作物貫通孔３２に容易に貫通させることができる。
【００４３】
なお、本発明の実施にあたっては、上記実施形態に限定されず、本発明の目的を逸脱しない限りにおいて種々の変更が可能である。例えば、上記実施形態では、図４に示す切り込み線３０がＳ字状に形成されているが、図６に示す他の実施形態に係る農作物育成シート６０のように、切り込み線６２はＺ字状に形成されてもよいし、その他の形状に形成されてもよい。
【００４４】
上記実施形態では、図３に示す複数の切り込み線３０がシート体２４の長さ方向に間隔Ｄ２を隔てて配置されているが、図７に示す他の実施形態に係る農作物育成シート６４のように、シート体６６の長さ方向で互いに隣接する２つの切り込み線６８は、これらの一部どうしがシート体６６の幅方向に並ぶように配置されてもよい。
【００４５】
この構成では、互いに隣接する２つの切り込み線６８の一部どうしがシート体６６の幅方向に並ぶので、シート体６６の長さ方向のほぼ全域に作物貫通孔７０を配置することができる。したがって、畝１６の長さ方向に沿って植え付けられた複数の農作物１２の間隔が不均一な場合でも、作物貫通孔７０を農作物１２に対向させることができ、農作物１２を作物貫通孔７０に確実に貫通せることができる。
【００４６】
図４に示すように、上記実施形態では、第１切り込み部３６と第２切り込み部３８とが互いに連結されているが、第１切り込み部３６と第２切り込み部３８との間には、農作物１２の生長力で切断可能な連結部（図示省略）がシート体２４の一部で構成されてもよい。
【００４７】
この構成では、作物貫通孔３２が風などで広く開かれることを連結部（図示省略）で防止できるので、土壌２０の保温性の低下を抑制できる。なお、連結部（図示省略）は、農作物１２の生長力で切断されるので、農作物１２の生育が連結部で妨げられることはない。
【符号の説明】
【００４８】
Ｑ…仮想直線、１０…農作物育成シート、１２…農作物、２４…シート体、
３０…切り込み線、３２…作物貫通孔、３４…蓋部、３６…第１切り込み部、
３８…第２切り込み部、４０…第１貫通孔部、４２…第２貫通孔部、４４…第１舌片部、
４６…第２舌片部
【図１】
2016131550.tif 000003
【図２】
2016131550.tif 000004
【図３】
2016131550.tif 000005
【図４】
2016131550.tif 000006
【図５】
2016131550.tif 000007
【図６】
2016131550.tif 000008
【図７】
2016131550.tif 000009